(57)【特許請求の範囲】
【請求項１】
情報提供サーバへの非音声データに対する応答がなされる端末と信号変換装置、該信号変換装置と音声ポータルサーバ、該音声ポータルサーバと前記情報提供サーバがそれぞれ接続される通信システムであって、
前記信号変換装置は、前記端末からの音声データをアナログ音声信号に変換して前記音声ポータルサーバへ送信し、
前記音声ポータルサーバは、当該アナログ音声信号を非音声データに変換して前記情報提供サーバへ送信する
ことを特徴とする通信システム。
【請求項２】
前記端末は、音声を音声データに変換して前記信号変換装置へ送信することを特徴とする請求項１記載の通信システム。
【請求項３】
前記信号変換装置は、前記端末からの非音声データを前記情報提供サーバへ転送することを特徴とする請求項１または２記載の通信システム。
【請求項４】
前記音声ポータルサーバは、前記情報提供サーバからの非音声データをアナログ音声信号に変換して前記信号変換装置へ送信し、
前記信号変換装置は、当該アナログ音声信号を音声データに変換して前記端末へ送信し、
前記端末は、当該音声データを基に音声を再生することを特徴とする請求項１ないし３のいずれかに記載の通信システム。
【請求項５】
情報提供サーバへの非音声データに対する応答がなされる端末と信号変換装置、該信号変換装置と音声ポータルサーバ、該音声ポータルサーバと前記情報提供サーバがそれぞれ接続される通信システムであって、
前記端末は、音声を変換して得た音声データ、非音声データ、またはこれら両方のデータを、共通な形式のパケットに格納して前記信号変換装置へ送信し、
前記信号変換装置は、当該パケットに音声データが格納されているときは当該音声データをアナログ音声信号に変換して前記音声ポータルサーバへ送信し、非音声データについては前記情報提供サーバへ送信し、
前記音声ポータルサーバは、当該アナログ音声信号を非音声データに変換して前記情報提供サーバへ送信する
ことを特徴とする通信システム。
【請求項６】
前記音声ポータルサーバは、前記情報提供サーバからの非音声データをアナログ音声信号に変換して前記信号変換装置へ送信し、
前記信号変換装置は、当該アナログ音声信号を変換して得た音声データ、前記情報提供サーバから応答された非音声データ、またはこれら両方のデータを、共通な形式のパケットに格納して前記端末へ送信し、
前記端末は、当該パケットに音声データが格納されているときは当該音声データを基に音声を再生し、非音声データについては該非音声データに適した処理を行い処理結果を出力することを特徴とする請求項５記載の通信システム。
【請求項７】
請求項５または６記載の通信システムの端末として利用される通信装置であって、データ入出力部、データ分割結合部、音声入出力部、コーデック、音声分割結合部及び結合／振り分け部を備え、
データ入出力部は、入力機構とデータ処理部とを含み、入力機構への入力により得られる非音声データをデータ分割結合部に与えるとともに、データ分割結合部からの非音声データに適した処理をデータ処理部で行い処理結果を出力し、
データ分割結合部は、データ入出力部からの非音声データを必要に応じ予め定められたサイズに分割して結合／振り分け部へ与えるとともに、結合／振り分け部からの非音声データを必要に応じ結合してデータ入出力部へ与え、
音声入出力部は、音声入力部と音声再生部を含み、音声入力部への音声入力により得たアナログ音声信号をコーデックに与えるとともに、コーデックからのアナログ音声信号を音声再生部に与えて音声を再生させ、
コーデックは、音声入出力部からのアナログ音声信号をディジタル化して音声データを生成し、これを音声分割結合部へ与えるとともに、音声分割結合部からの音声データをアナログ音声信号に変換して音声入出力部へ与え、
音声分割結合部は、コーデックからの音声データを必要に応じ予め定められたサイズに分割して結合／振り分け部へ与えるとともに、結合／振り分け部からの音声データを必要に応じ結合してコーデックへ与え、
結合／振り分け部は、データ分割結合部からの非音声データと音声分割結合部からの音声データとを結合したパケット、またはいずれかのデータにその識別子を付与したパケットからなるパケット列を生成して信号変換装置へ送信し、また、信号変換装置から送信されるパケット列から音声データや非音声データを取り出し、音声データは音声分割結合部へ、非音声データはデータ分割結合部へそれぞれ与え、必要に応じ電話発着信制御機能で信号変換装置との呼接続を行うことを特徴とする通信装置。
【請求項８】
請求項５または６記載の通信システムの信号変換装置として利用される通信装置であって、
データ入出力部、データ分割結合部、音声入出力部、コーデック、音声分割結合部及び結合／振り分け部を備え、
データ入出力部は、情報提供サーバから送信される非音声データをデータ分割結合部に与えるとともにデータ分割結合部からの非音声データを情報提供サーバへ送信し、
データ分割結合部は、データ入出力部からの非音声データを必要に応じ予め定められたサイズに分割して結合／振り分け部へ与えるとともに結合／振り分け部からの非音声データを必要に応じ結合してデータ入出力部へ与え、
音声入出力部は、音声ポータルサーバから送信されるアナログ音声信号をコーデックに与えるとともにコーデックからのアナログ音声信号を音声ポータルサーバへ送信し、
コーデックは、音声入出力部からのアナログ音声信号を音声データに変換して音声分割結合部へ与えるとともに、音声分割結合部からの音声データをアナログ音声信号に変換して音声入出力部へ与え、
音声分割結合部は、コーデックからの音声データを必要に応じ予め定められたサイズに分割して結合／振り分け部へ与えるとともに結合／振り分け部からの音声データを必要に応じ結合してコーデックへ与え、
結合／振り分け部は、データ分割結合部からの非音声データと音声分割結合部からの音声データとを結合したパケット、またはいずれかのデータにその識別子を付与したパケットからなるパケット列を生成して端末へ送信するとともに端末から送信されるパケット列から音声データや非音声データを取り出して音声分割結合部やデータ分割結合部へ与え、
必要に応じ電話発着信制御機能で端末や音声ポータルサーバとの呼接続を行うことを特徴とする通信装置。
【請求項９】
情報提供サーバへの非音声データに対する応答がなされる端末と信号変換装置、該信号変換装置と音声ポータルサーバ、該音声ポータルサーバと前記情報提供サーバがそれぞれ接続される通信システムで実行される通信方法であって、
前記端末は、音声を変換して得た音声データ、非音声データ、またはこれら両方のデータを、共通な形式のパケットに格納して前記信号変換装置へ送信し、
前記信号変換装置は、当該パケットに音声データが格納されているときは当該音声データをアナログ音声信号に変換して前記音声ポータルサーバへ送信し、非音声データについては前記情報提供サーバへ送信し、
前記音声ポータルサーバは、当該アナログ音声信号を非音声データに変換して前記情報提供サーバへ送信し、
前記音声ポータルサーバは、前記情報提供サーバからの非音声データをアナログ音声信号に変換して前記信号変換装置へ送信し、
前記信号変換装置は、当該アナログ音声信号を変換して得た音声データ、前記情報提供サーバから応答された非音声データ、またはこれら両方のデータを、共通な形式のパケットに格納して前記端末へ送信し、
前記端末は、当該パケットに音声データが格納されているときは当該音声データを基に音声を再生し、非音声データについては該非音声データに適した処理を行い処理結果を出力することを特徴とする通信方法。
【請求項１０】
情報提供サーバへの非音声データに対する応答がなされる端末と信号変換装置、該信号変換装置と音声ポータルサーバ、該音声ポータルサーバと前記情報提供サーバがそれぞれ接続される通信システムで実行される通信プログラムであって、
前記端末は、音声を変換して得た音声データ、非音声データ、またはこれら両方のデータを、共通な形式のパケットに格納して前記信号変換装置へ送信し、
前記信号変換装置は、当該パケットに音声データが格納されているときは当該音声データをアナログ音声信号に変換して前記音声ポータルサーバへ送信し、非音声データについては前記情報提供サーバへ送信し、
前記音声ポータルサーバは、当該アナログ音声信号を非音声データに変換して前記情報提供サーバへ送信し、
前記音声ポータルサーバは、前記情報提供サーバからの非音声データをアナログ音声信号に変換して前記信号変換装置へ送信し、
前記信号変換装置は、当該アナログ音声信号を変換して得た音声データ、前記情報提供サーバから応答された非音声データ、またはこれら両方のデータを、共通な形式のパケットに格納して前記端末へ送信し、
前記端末は、当該パケットに音声データが格納されているときは当該音声データを基に音声を再生し、非音声データについては該非音声データに適した処理を行い処理結果を出力するという通信方法を実行させる通信プログラム。
【請求項１１】
情報提供サーバへの非音声データに対する応答がなされる端末と信号変換装置、該信号変換装置と音声ポータルサーバ、該音声ポータルサーバと前記情報提供サーバがそれぞれ接続される通信システムで実行される通信プログラムが記録された記録媒体であって、
前記端末は、音声を変換して得た音声データ、非音声データ、またはこれら両方のデータを、共通な形式のパケットに格納して前記信号変換装置へ送信し、
前記信号変換装置は、当該パケットに音声データが格納されているときは当該音声データをアナログ音声信号に変換して前記音声ポータルサーバへ送信し、非音声データについては前記情報提供サーバへ送信し、
前記音声ポータルサーバは、当該アナログ音声信号を非音声データに変換して前記情報提供サーバへ送信し、
前記音声ポータルサーバは、前記情報提供サーバからの非音声データをアナログ音声信号に変換して前記信号変換装置へ送信し、
前記信号変換装置は、当該アナログ音声信号を変換して得た音声データ、前記情報提供サーバから応答された非音声データ、またはこれら両方のデータを、共通な形式のパケットに格納して前記端末へ送信し、
前記端末は、当該パケットに音声データが格納されているときは当該音声データを基に音声を再生し、非音声データについては該非音声データに適した処理を行い処理結果を出力するという通信方法を実行させる通信プログラムが記録された記録媒体。
【発明の詳細な説明】
【０００１】
【発明の属する技術分野】
本発明は、マルチメディア端末での音声によるウェブ閲覧の実現を図った通信システム、通信装置、通信方法、通信プログラム及び通信プログラムが記録された記録媒体に関する。
【０００２】
【従来の技術】
近年にあっては、携帯型や固定型のマルチメディア電話端末でウェブの閲覧が行える。例えば、端末にＵＲＬをキー入力すると、端末はＵＲＬをウェブサーバへリクエストし、ウェブサーバはＵＲＬを元に取得したインターネットのリソースを端末へ応答する。したがって、かかる端末を利用して世界中から所望する情報を入手することができる。
【０００３】
その一方で、キー入力の煩雑さを緩和するために音声認識エンジンを搭載した電話端末も実用化の段階に入っている。かかる端末をウェブ閲覧に利用すれば、ハンズフリーで情報取得が行えるので、その利便性向上の効果は大きい。
【０００４】
【発明が解決しようとする課題】
しかしながら、マルチメディア電話端末では、メモリ容量などのリソースが少ないため、音声認識エンジンが電話帳の氏名程度の認識しかできない。また、音声認識エンジンを搭載すれば、自ずとコストアップになる。また、マルチメディア電話端末が使用する公衆回線は帯域が狭く音声をディジタル化した音声データを伝送できない場合もあり、仮にできたとしても、ウェブサーバによって理解されない。したがって、マルチメディア電話端末での音声によるウェブ閲覧は現実的には実現されていない。
【０００５】
そこで本発明は、上記の従来の課題に鑑みてなされたものであり、その目的とするところは、マルチメディア端末での音声によるウェブ閲覧の実現を図った通信システム、通信装置、通信方法、通信プログラム及び通信プログラムが記録された記録媒体を提供することにある。
【０００６】
【課題を解決するための手段】
上記従来の課題を解決するため、請求項１の本発明は、情報提供サーバへの非音声データに対する応答がなされる端末と信号変換装置、該信号変換装置と音声ポータルサーバ、該音声ポータルサーバと前記情報提供サーバがそれぞれ接続される通信システムであって、
前記信号変換装置は、前記端末からの音声データをアナログ音声信号に変換して前記音声ポータルサーバへ送信し、
前記音声ポータルサーバは、当該アナログ音声信号を非音声データに変換して前記情報提供サーバへ送信する
ことを特徴とする通信システムをもって解決手段とする。
【０００７】
請求項２の本発明は、前記端末は、音声を音声データに変換して前記信号変換装置へ送信することを特徴とする請求項１記載の通信システムをもって解決手段とする。
【０００８】
請求項３の本発明は、前記信号変換装置は、前記端末からの非音声データを前記情報提供サーバへ転送することを特徴とする請求項１または２記載の通信システムをもって解決手段とする。
【０００９】
請求項４の本発明は、前記音声ポータルサーバは、前記情報提供サーバからの非音声データをアナログ音声信号に変換して前記信号変換装置へ送信し、
前記信号変換装置は、当該アナログ音声信号を音声データに変換して前記端末へ送信し、
前記端末は、当該音声データを基に音声を再生することを特徴とする請求項１ないし３のいずれかに記載の通信システムをもって解決手段とする。
【００１０】
請求項５の本発明は、情報提供サーバへの非音声データに対する応答がなされる端末と信号変換装置、該信号変換装置と音声ポータルサーバ、該音声ポータルサーバと前記情報提供サーバがそれぞれ接続される通信システムであって、
前記端末は、音声を変換して得た音声データ、非音声データ、またはこれら両方のデータを、共通な形式のパケットに格納して前記信号変換装置へ送信し、
前記信号変換装置は、当該パケットに音声データが格納されているときは当該音声データをアナログ音声信号に変換して前記音声ポータルサーバへ送信し、非音声データについては前記情報提供サーバへ送信し、
前記音声ポータルサーバは、当該アナログ音声信号を非音声データに変換して前記情報提供サーバへ送信する
ことを特徴とする通信システムをもって解決手段とする。
【００１１】
請求項６の本発明は、前記音声ポータルサーバは、前記情報提供サーバからの非音声データをアナログ音声信号に変換して前記信号変換装置へ送信し、
前記信号変換装置は、当該アナログ音声信号を変換して得た音声データ、前記情報提供サーバから応答された非音声データ、またはこれら両方のデータを、共通な形式のパケットに格納して前記端末へ送信し、
前記端末は、当該パケットに音声データが格納されているときは当該音声データを基に音声を再生し、非音声データについては該非音声データに適した処理を行い処理結果を出力することを特徴とする請求項５記載の通信システムをもって解決手段とする。
【００１２】
請求項７の本発明は、請求項５または６記載の通信システムの端末として利用される通信装置であって、データ入出力部、データ分割結合部、音声入出力部、コーデック、音声分割結合部及び結合／振り分け部を備え、
データ入出力部は、入力機構とデータ処理部とを含み、入力機構への入力により得られる非音声データをデータ分割結合部に与えるとともに、データ分割結合部からの非音声データに適した処理をデータ処理部で行い処理結果を出力し、
データ分割結合部は、データ入出力部からの非音声データを必要に応じ予め定められたサイズに分割して結合／振り分け部へ与えるとともに、結合／振り分け部からの非音声データを必要に応じサイズに結合してデータ入出力部へ与え、
音声入出力部は、音声入力部と音声再生部を含み、音声入力部への音声入力により得たアナログ音声信号をコーデックに与えるとともに、コーデックからのアナログ音声信号を音声再生部に与えて音声を再生させ、
コーデックは、音声入出力部からのアナログ音声信号をディジタル化して音声データを生成し、これを音声分割結合部へ与えるとともに、音声分割結合部からの音声データをアナログ音声信号に変換して音声入出力部へ与え、
音声分割結合部は、コーデックからの音声データを必要に応じ予め定められたサイズに分割して結合／振り分け部へ与えるとともに、結合／振り分け部からの音声データを必要に応じ結合してコーデックへ与え、
結合／振り分け部は、データ分割結合部からの非音声データと音声分割結合部からの音声データとを結合したパケット、またはいずれかのデータにその識別子を付与したパケットからなるパケット列を生成して信号変換装置へ送信し、また、信号変換装置から送信されるパケット列から音声データや非音声データを取り出し、音声データは音声分割結合部へ、非音声データはデータ分割結合部へそれぞれ与え、必要に応じ電話発着信制御機能で信号変換装置との呼接続を行うことを特徴とする通信装置をもって解決手段とする。
【００１３】
請求項８の本発明は、請求項５または６記載の通信システムの信号変換装置として利用される通信装置であって、
データ入出力部、データ分割結合部、音声入出力部、コーデック、音声分割結合部及び結合／振り分け部を備え、
データ入出力部は、情報提供サーバから送信される非音声データをデータ分割結合部に与えるとともにデータ分割結合部からの非音声データを情報提供サーバへ送信し、
データ分割結合部は、データ入出力部からの非音声データを必要に応じ予め定められたサイズに分割して結合／振り分け部へ与えるとともに結合／振り分け部からの非音声データを必要に応じ結合してデータ入出力部へ与え、
音声入出力部は、音声ポータルサーバから送信されるアナログ音声信号をコーデックに与えるとともにコーデックからのアナログ音声信号を音声ポータルサーバへ送信し、
コーデックは、音声入出力部からのアナログ音声信号を音声データに変換して音声分割結合部へ与えるとともに、音声分割結合部からの音声データをアナログ音声信号に変換して音声入出力部へ与え、
音声分割結合部は、コーデックからの音声データを必要に応じ予め定められたサイズに分割して結合／振り分け部へ与えるとともに結合／振り分け部からの音声データを必要に応じ結合してコーデックへ与え、
結合／振り分け部は、データ分割結合部からの非音声データと音声分割結合部からの音声データとを結合したパケット、またはいずれかのデータにその識別子を付与したパケットからなるパケット列を生成して端末へ送信するとともに端末から送信されるパケット列から音声データや非音声データを取り出して音声分割結合部やデータ分割結合部へ与え、
必要に応じ電話発着信制御機能で端末や音声ポータルサーバとの呼接続を行うことを特徴とする通信装置をもって解決手段とする。
【００１４】
請求項９の本発明は、情報提供サーバへの非音声データに対する応答がなされる端末と信号変換装置、該信号変換装置と音声ポータルサーバ、該音声ポータルサーバと前記情報提供サーバがそれぞれ接続される通信システムで実行される通信方法であって、
前記端末は、音声を変換して得た音声データ、非音声データ、またはこれら両方のデータを、共通な形式のパケットに格納して前記信号変換装置へ送信し、
前記信号変換装置は、当該パケットに音声データが格納されているときは当該音声データをアナログ音声信号に変換して前記音声ポータルサーバへ送信し、非音声データについては前記情報提供サーバへ送信し、
前記音声ポータルサーバは、当該アナログ音声信号を非音声データに変換して前記情報提供サーバへ送信し、
前記音声ポータルサーバは、前記情報提供サーバからの非音声データをアナログ音声信号に変換して前記信号変換装置へ送信し、
前記信号変換装置は、当該アナログ音声信号を変換して得た音声データ、前記情報提供サーバから応答された非音声データ、またはこれら両方のデータを、共通な形式のパケットに格納して前記端末へ送信し、
前記端末は、当該パケットに音声データが格納されているときは当該音声データを基に音声を再生し、非音声データについては該非音声データに適した処理を行い処理結果を出力することを特徴とする通信方法をもって解決手段とする。
【００１５】
請求項１０の本発明は、情報提供サーバへの非音声データに対する応答がなされる端末と信号変換装置、該信号変換装置と音声ポータルサーバ、該音声ポータルサーバと前記情報提供サーバがそれぞれ接続される通信システムで実行される通信プログラムであって、
前記端末は、音声を変換して得た音声データ、非音声データ、またはこれら両方のデータを、共通な形式のパケットに格納して前記信号変換装置へ送信し、
前記信号変換装置は、当該パケットに音声データが格納されているときは当該音声データをアナログ音声信号に変換して前記音声ポータルサーバへ送信し、非音声データについては前記情報提供サーバへ送信し、
前記音声ポータルサーバは、当該アナログ音声信号を非音声データに変換して前記情報提供サーバへ送信し、
前記音声ポータルサーバは、前記情報提供サーバからの非音声データをアナログ音声信号に変換して前記信号変換装置へ送信し、
前記信号変換装置は、当該アナログ音声信号を変換して得た音声データ、前記情報提供サーバから応答された非音声データ、またはこれら両方のデータを、共通な形式のパケットに格納して前記端末へ送信し、
前記端末は、当該パケットに音声データが格納されているときは当該音声データを基に音声を再生し、非音声データについては該非音声データに適した処理を行い処理結果を出力するという通信方法を実行させる通信プログラムをもって解決手段とする。
【００１６】
請求項１１の本発明は、情報提供サーバへの非音声データに対する応答がなされる端末と信号変換装置、該信号変換装置と音声ポータルサーバ、該音声ポータルサーバと前記情報提供サーバがそれぞれ接続される通信システムで実行される通信プログラムが記録された記録媒体であって、
前記端末は、音声を変換して得た音声データ、非音声データ、またはこれら両方のデータを、共通な形式のパケットに格納して前記信号変換装置へ送信し、
前記信号変換装置は、当該パケットに音声データが格納されているときは当該音声データをアナログ音声信号に変換して前記音声ポータルサーバへ送信し、非音声データについては前記情報提供サーバへ送信し、
前記音声ポータルサーバは、当該アナログ音声信号を非音声データに変換して前記情報提供サーバへ送信し、
前記音声ポータルサーバは、前記情報提供サーバからの非音声データをアナログ音声信号に変換して前記信号変換装置へ送信し、
前記信号変換装置は、当該アナログ音声信号を変換して得た音声データ、前記情報提供サーバから応答された非音声データ、またはこれら両方のデータを、共通な形式のパケットに格納して前記端末へ送信し、
前記端末は、当該パケットに音声データが格納されているときは当該音声データを基に音声を再生し、非音声データについては該非音声データに適した処理を行い処理結果を出力するという通信方法を実行させる通信プログラムが記録された記録媒体をもって解決手段とする。
【００１７】
【発明の実施の形態】
以下、本発明に係る実施の形態を図面を参照して説明する。なお、使用するデータは、そのサイズや形式等に関わらず、本発明のユーザが発声した音声、または当該ユーザに対しての音声を再現するためのデータであるときは音声データといい、音声データ以外のデータであるときは非音声データという。また、通話のための呼を単に呼という。またＨＴＭＬ等のマークアップ言語で記述されたソースコードを単にソースコードという。
【００１８】
図１は、本発明の実施の形態に係る通信システムの構成を示す図である。本実施の形態において端末１は、携帯型または固定型のマルチメディア電話端末であり、移動体通信網や固定電話網等の公衆網を介して、信号変換装置であるターミナルアダプタ２に接続される。ターミナルアダプタ２は、ターミナルアダプタ２及び音声ポータルサーバ３及びウェブサーバ４はアプリケーション・サービス・プロバイダ（ＡＳＰ）などにより運営管理され、ターミナルアダプタ２は、図示しないＡＳＰ内のデータ通信網を介してウェブサーバ４に接続される。また、ターミナルアダプタ２は音声ポータルサーバ３に図示しない電話回線（公衆網でもよい）を介して接続される。また、音声ポータルサーバ３とウェブサーバ４とはＡＳＰのデータ通信網を介して接続される。なお、ウェブサーバ４は情報提供サーバに相当し、情報提供サーバはｆｔｐサーバなどでもよい。
【００１９】
端末１は、キーパッド等の入力機構と液晶ディスプレイ等の出力部とマイクロフォン等の音声入力部とスピーカ等の音声再生部と電話発着信制御機能とデータ通信機能とデータ処理部を有しており、入力機構への入力により得た文字データ等の非音声データと音声入力部への入力により得た音声データとを結合したパケット、またはいずれかのデータにその識別子を付与したパケットからなるパケット列をターミナルアダプタ２へ送信する。また、ターミナルアダプタ２から送信される同様のパケット列から音声データや非音声データを取り出し、非音声データに適した処理を行い処理結果を出力し、また音声データにより音声再生を行う。なお、出力部が音声再生部の機能を共用して曲データ等を再生できるようにしてもよい。
【００２０】
ターミナルアダプタ２は、データ通信機能と電話発着信制御機能とを備えたコンピュータであり、端末１から音声データが送信されると、必要なら電話発着信制御機能で音声ポータルサーバ３に呼接続した上で、音声データをアナログ音声信号に変換し送信する。また、音声ポータルサーバ３からのアナログ音声信号を音声データに変換し、これをパケット列に含めて端末１へ送信する。また、ターミナルアダプタ２は、端末１からの非音声データをウェブサーバ４に送信するとともに、ウェブサーバ４からの非音声データをパケット列に含めて端末１へ送信する。また、変換された音声データと非音声データとを結合しパケット列に含めて端末１へ送信する。
【００２１】
音声ポータルサーバ３は、音声認識エンジン、音声合成エンジン及び電話発着信制御機能を備え、電話発着信制御機能でターミナルアダプタ２からの呼を着呼した上で、送信されるアナログ音声信号を音声認識エンジンで文字データ等の非音声データに変換しウェブサーバ４へ送信する。また、ウェブサーバ４から文字データ等の非音声データが送信されると、必要なら電話発着信制御機能でターミナルアダプタ２へ呼接続した上で、この非音声データを音声合成エンジンでアナログ音声信号に変換しターミナルアダプタ２へ送信する。
【００２２】
ウェブサーバ４には、ウェブ閲覧用の言語で記述されたソースコードや該コードに指定された地図情報等を格納した提供情報データベース５がＬＡＮ（構内通信網）やインターネット等を介して接続される。ウェブサーバ４は、ターミナルアダプタ２から非音声データとして、または音声ポータルサーバ３から非音声データとして送信されるＵＲＬ等に基づいて提供情報データベース５からソースコード等を読み出す。また、このソースコード等をターミナルアダプタ２へ送信し、また音声に変換して出力すべき文字データ等の非音声データがソースコードに含まれていれば音声ポータルサーバ３へ送信する。
【００２３】
図２は、端末１及びターミナルアダプタ２の構成及び通信システムの動作を示す図である。
【００２４】
端末１は、データ入出力部１１、データ分割結合部１２、音声入出力部１３、コーデック１４、音声分割結合部１５及び結合／振り分け部１６を備えて構成される。
【００２５】
データ入出力部１１は、入力機構と出力部とを含み、入力機構への入力により得られる文字データ等の非音声データをデータ分割結合部１２に与えるとともに、データ分割結合部１２からの非音声データに適した処理をデータ処理部で行い処理結果を出力部に出力する。
【００２６】
データ分割結合部１２は、データ入出力部１１からの非音声データを必要に応じ予め定められたサイズに分割して結合／振り分け部１６へ与えるとともに、結合／振り分け部１６からの非音声データを必要に応じ結合してデータ入出力部１１へ与える。
【００２７】
音声入出力部１３は、音声入力のための音声入力部と音声再生のための音声再生部とを含み、音声入力部への音声入力により得たアナログ音声信号をコーデック１４に与えるとともに、コーデック１４からのアナログ音声信号を音声再生部に与えて音声を再生させる。
【００２８】
コーデック１４は、音声入出力部１３からのアナログ音声信号をＰＣＭ形式等へのディジタル化を行って音声データを生成し、これを音声分割結合部１５へ与えるとともに、音声分割結合部１５からの音声データをアナログ化して音声入出力部１３へ与える。
【００２９】
音声分割結合部１５は、コーデック１４からの音声データを必要に応じ予め定められたサイズに分割して結合／振り分け部１６へ与えるとともに、結合／振り分け部１６からの音声データを必要に応じ結合してコーデック１４へ与える。
【００３０】
結合／振り分け部１６は、データ分割結合部１２からの非音声データと音声分割結合部１５からの音声データとを結合したパケット、またはいずれかのデータにその識別子を付与したパケットを含むパケット列を生成してターミナルアダプタ２へ送信する。また、ターミナルアダプタ２から送信される同様のパケット列から音声データや非音声データを取り出し、音声データは音声分割結合部１５へ、非音声データはデータ分割結合部１２へそれぞれ与える。なお、結合／振り分け部１６は必要に応じ電話発着信制御機能によりターミナルアダプタ２との呼接続を行う。
【００３１】
ターミナルアダプタ２は、データ入出力部２１、データ分割結合部２２、音声入出力部２３、コーデック２４、音声分割結合部２５及び結合／振り分け部２６を備えて構成される。
【００３２】
データ入出力部２１は、ウェブサーバ４から送信されるソースコード等の非音声データをデータ分割結合部２２に与えるとともにデータ分割結合部２２からの非音声データをウェブサーバ４へ送信する。
【００３３】
データ分割結合部２２は、データ入出力部２１からの非音声データを必要に応じ予め定められたサイズに分割して結合／振り分け部２６へ与えるとともに結合／振り分け部２６からの非音声データを必要に応じ結合してデータ入出力部２１へ与える。
【００３４】
音声入出力部２３は、音声ポータルサーバ３から送信されるアナログ音声信号をコーデック２４に与えるとともにコーデック２４からのアナログ音声信号を音声ポータルサーバ３へ送信する。
【００３５】
コーデック２４は、音声入出力部２３からのアナログ音声信号をＰＣＭ形式等にディジタル化して音声データを生成し、これを音声分割結合部２５へ与えるとともに、音声分割結合部２５からの音声データをアナログ化して音声入出力部２３へ与える。
【００３６】
音声分割結合部２５は、コーデック２４からの音声データを必要に応じ予め定められたサイズに分割して結合／振り分け部２６へ与えるとともに結合／振り分け部２６からの必要に応じ音声データを結合してコーデック２４へ与える。
【００３７】
結合／振り分け部２６は、データ分割結合部２２からの非音声データと音声分割結合部２５からの音声データとを結合したパケット、またはいずれかのデータにその識別子を付与したパケットからなるパケット列を生成して端末１へ送信するとともに端末１から送信される同様のパケット列から音声データや非音声データを取り出して音声分割結合部２５やデータ分割結合部２２へ与える。
【００３８】
なお、ターミナルアダプタ２は、必要に応じ電話発着信制御機能で端末１や音声ポータルサーバ３との呼接続する。
【００３９】
図３は、端末１、ターミナルアダプタ２間で送受信されるパケットの形式を示す図である。パケットは、例えば、図３（ａ）のように、非音声データと音声データとを、またはいずれか一方を、各データについて予め定められた領域に格納し、さらに制御情報で囲んだ形式を有する。またパケットは、図３（ｂ）のように、非音声データまたは音声データに対し、このデータが非音声データか音声データかを示す識別子を付加し、これを制御情報で囲んだ構成を有する。したがって、パケットを解析すれば、パケットのデータが非音声データとして含まれているか、音声データとして含まれているかを判別することができる。なお、以下の説明においては、かかる格納形式の違いについて特に言及せず、単にパケットという。また、本実施の形態では連続的に送信されるパケットをパケット列という。
【００４０】
次に、本実施の形態の通信システムの動作をウェブ閲覧を例にして説明する。いま端末１にて、提供情報データベース５に格納された情報のＵＲＬ（以下ＵＲＬ）がキー入力等される（Ｓ１）と、データ入出力部１１は、ＵＲＬをデータ分割結合部１２に与え（Ｓ３）、データ分割結合部１２は、このＵＲＬを分割して結合／振り分け部１６へ与える（Ｓ５）。結合／振り分け部１６は、電話発着信制御機能を起動してターミナルアダプタ２と呼接続した上で、結合／振り分け部２６との間で、データ転送用のプロトコル（PIAFS:PHS Internet Access Forum Standardの場合のインバンドネゴシエーション等）によりデータリンクを確立する（Ｓ７）。そして、結合／振り分け部１６は、データの種別を判定する（Ｓ９）。ここでは、分割されたＵＲＬがデータ分割結合部１２から与えられたので、このＵＲＬを非音声データとし、このＵＲＬを非音声データとして含めたパケット列をターミナルアダプタ２の結合／振り分け部２６へ送信する（Ｓ１１）。ターミナルアダプタ２の結合／振り分け部２６は、送信されたパケット列内のデータの種別を判定する（Ｓ１３）。ここでは、ＵＲＬが非音声データとして含まれているとして、このＵＲＬを取り出し、分割されたままデータ分割結合部２２へ与える（Ｓ１５）。データ分割結合部２２は、これを結合してデータ入出力部２１へ与え（Ｓ１７）、データ入出力部２１は、このＵＲＬを予め定められたプロトコルによりウェブサーバ４へ送信する（Ｓ１９）。
【００４１】
ウェブサーバ４は、送信されたＵＲＬを基に提供情報データベース５からソースコードを読み出して（Ｓ２１）、ターミナルアダプタ２のデータ入出力部２１へ送信する（Ｓ２３）。なお、ウェブサーバ４は、ソースコードに音声出力すべき操作ガイダンスの文字データがあると、これを音声ポータルサーバ３へ送信する（Ｓ２５）。
【００４２】
ターミナルアダプタ２のデータ入出力部２１は、送信されたソースコードをデータ分割結合部２２に与え（Ｓ２７）、データ分割結合部２２は、このソースコードを分割して結合／振り分け部２６へ与える（Ｓ２９）。
【００４３】
一方、音声ポータルサーバ３は、ウェブサーバ４から送信された操作ガイダンスを音声合成エンジンでアナログ音声信号に変換し（Ｓ３１）、電話発着信制御機能でターミナルアダプタ２へ呼接続して送信する（Ｓ３３）。
【００４４】
ターミナルアダプタ２の音声入出力部１３は、送信されたアナログ音声信号をコーデック２４に与え（Ｓ３５）、コーデック２４は、アナログ音声信号をディジタル化して、音声分割結合部２５へ与える（Ｓ３７）。音声分割結合部２５はディジタル化された操作ガイダンス等を分割して結合／振り分け部２６へ与える（Ｓ３９）。
【００４５】
結合／振り分け部２６は、ソースコードが与えられると、このデータの種別を判定する（Ｓ４１）。ここでは、ソースコードがデータ分割結合部２２から与えたので、これを非音声データと判定する。また操作ガイダンスが与えられると、同様にしてデータの種別を判定する。ここでは、操作ガイダンスが音声分割結合部２５から与えられたので、これを音声データと判定する。そして、これらデータをそれぞれ非音声データ、音声データとして含ませたパケット列を生成し端末１の結合／振り分け部１６へ送信する（Ｓ４３）。
【００４６】
端末１の結合／振り分け部１６は、ターミナルアダプタ２から送信されたパケット列内のデータの種別を判定する（Ｓ４５）。ここでは、ソースコードが非音声データとしてパケット列に含まれているとして、これをデータ分割結合部１２へ与える（Ｓ４７）。また、操作ガイダンスが音声データとして含まれているとして、これを音声分割結合部１５へ与える（Ｓ４９）。
【００４７】
データ分割結合部１２は、結合／振り分け部１６からの分割されたソースコードを結合してデータ入出力部１１へ与え（Ｓ５１）、データ入出力部１１はこのソースコードに基づいた表示を行う（Ｓ５３）。
【００４８】
一方、音声分割結合部１５は、結合／振り分け部１６からの分割された操作ガイダンスを結合してコーデック１４へ与え（Ｓ５５）、コーデック１４は、これをアナログ音声信号に変換して音声入出力部１３へ与え（Ｓ５７）、音声入出力部１３がこのアナログ音声信号を基に操作ガイダンスの音声をスピーカで再生する（Ｓ５９）。
【００４９】
なお、ソースコードに記述された画像データのＵＲＬも非音声データとして扱われて、端末１からターミナルアダプタ２を経てウェブサーバ４へ送信され、ウェブサーバ４から画像データがターミナルアダプタ２を経て端末１へと送信されて表示が行われる。
【００５０】
いま端末１に対し、別のＵＲＬが音声でマイク入力される（Ｓ６１）と、音声入出力部１３は、この音声から得たアナログ音声信号をコーデック１４に与える（Ｓ６３）。コーデック１４は、このアナログ音声信号をディジタル化して音声分割結合部１５に与える（Ｓ６５）。音声分割結合部１５は、この音声で入力されたＵＲＬを分割して結合／振り分け部１６へ与える（Ｓ６７）。
【００５１】
そして、結合／振り分け部１６は、与えられたデータの種別を判定する（Ｓ６９））。ここでは、ＵＲＬが音声分割結合部１５から与えられたので、これを音声データとし、このＵＲＬを音声データとして含めたパケット列をターミナルアダプタ２の結合／振り分け部２６へ送信する（Ｓ７１）。
【００５２】
結合／振り分け部２６は、送信されたパケット列内のデータの種別を判定する（Ｓ７３）。ここでは、ＵＲＬが音声データとして含まれているとして、このＵＲＬを取り出し、分割されたまま音声分割結合部２５へ与える（Ｓ７５）。音声分割結合部２５は、これを結合してコーデック２４へ与え（Ｓ７７）、コーデック２４は、これをアナログ音声信号に変換して音声入出力部２３へ与える（Ｓ７９）。音声入出力部２３は、このアナログ音声信号を音声ポータルサーバ３へ送信する（Ｓ８１）。
【００５３】
音声ポータルサーバ３は、ターミナルアダプタ２から送信されたアナログ音声信号を音声認識エンジンで文字データに変換し（Ｓ８３）、これを予め定められたプロトコルによりウェブサーバ４へ送信する（Ｓ８５）。
【００５４】
これ以降は、このＵＲＬを基に読み出されたソースコードや画像データの送受信が前述のように行われる。なお、端末１及び音声ポータルサーバ３を介してウェブサーバ４へと与える要求は、ＵＲＬや画像データに限らないあらゆるインターネットリソースの取得要求とすることが可能である。また、音声ポータルサーバ３とウェブサーバ４とを同一のＬＡＮ内に構成した実施形態を採用することも可能であり、この実施形態にあっても同様の作用効果をもたらすことは明らかである。
【００５５】
また、上記説明した処理は、端末１、ターミナルアダプタ２、音声ポータルサーバ３及びウェブサーバ４が磁気記憶装置等から読み込んで実行するコンピュータプログラムにより実現される。そして、かかるプログラムを半導体メモリ、磁気ディスク、光ディスク、光磁気ディスク、磁気テープなどのコンピュータ読み取り可能な記録媒体に記録したり、インターネットなどの通信網を介して伝送させて、広く流通させることができる。
【００５６】
なお、音声ポータルサーバ３でアナログ音声信号を合成する方式としては、１）テキストを音声に変換するＴＴＳ（Text to Speech）、２）録音しておいた音声のファイルを組み合わせるという２つの方式のいずれを用いてもよい。
【００５７】
以上説明したように、本実施の形態によれば、音声により端末でインターネットのブラウジングが出来るため、キー操作に慣れないユーザでも簡単に情報を入手できる。また、音声データからの音声の再生を行うので記録を残すことができる。
【００５８】
なお、上記実施の形態ではウェブ閲覧の形態を説明したが、本発明はコンテンツやプログラムの配信にも適用できる。
【００５９】
つまり、コンテンツ配信では、ウェブサーバ４がコンテンツサーバを兼ねるようにして、先ず端末１で"宇多田ヒカルの曲"と音声入力し、音声ポータルサーバ３が、このキーワードを認識し"宇多田ヒカル"と"曲"というテキストデータをウェブサーバ４に送信し、ウェブサーバ４が曲のデータベースを検索して宇多田ヒカルの曲の一覧データを端末１に送信し、端末１が宇多田ヒカルの曲一覧データを表示し、端末で"ファーストラブ"と音声入力されたときは、音声ポータルサーバ３でこれを認識して曲コードをウェブサーバ４に送信し、ウェブサーバ４で当該コードに対応する曲データを検索して端末１へ送信し、端末１でこれを再生するといった利用方法が実施できる。なお、例えば、"宇多田ヒカルのファーストラブ"と最初に音声入力すれば、宇多田ヒカルの曲一覧の検索をしないで、ファーストラブの曲データをダウンロードすることも可能である。
【００６０】
また、プログラム配信でも、コンテンツ配信の曲データと同様にゲーム、見積書、金利等の計算プログラムといったプログラムをその種類を問わずにダウンロードすることができる。
【００６１】
【発明の効果】
以上説明したように、本発明によれば、リソースの少ない端末での音声による情報取得の実現が可能となるので、キー操作に慣れないユーザであっても、マルチメディア電話端末から簡単に情報を入手できる。また、音声データからの音声の再生を行うのでその記録を残すことができる。
【図面の簡単な説明】
【図１】本発明の実施の形態に係る通信システムの構成を示す図である。
【図２】端末１及びターミナルアダプタ２の構成及び通信システムの動作を示す図である。
【図３】端末１、ターミナルアダプタ２間で送受信されるパケットの構成を示す図である。
【符号の説明】
１  端末（マルチメディア電話端末）
２  ターミナルアダプタ（信号変換装置）
３  音声ポータルサーバ
４  ウェブサーバ（情報提供サーバ）
【図１】
0003712967.tif 000002
【図２】
0003712967.tif 000003
【図３】
0003712967.tif 000004